(57)【要約】      （修正有）【課題】吸収体の取り換えが容易で、蒸れ、痒みなどの不快感が発生することなく、かつ滲み出たり、漏れたりすることを防ぐことのできる介護用ズボン型肌着を提供する。【解決手段】ズボン体１とカバー部４とおむつ部８とによってなり、ズボン体は、ファスナーを設けて前身頃が開くようにするとともに、腰回り部１３にウエスト紐を装着し、ズボン体の内面の上端縁に矩形の第１接続部材３を設け、前身頃と後見頃との下方には複数のホックを設け、脚部を着脱自在とする。カバー部は、上端に固定ベルト４２を設け、第１接続部材に対応する位置に、係合部材を具える第２接続部材３０を設けるとともに、取付けベルト５１と挟持部材５２からなる取付け手段５により取付けベルトをカバー部に取付ける。おむつ部の上端には、取付け手段の挟持手段で挟持して取付ける取付け片８０１を形成する。【選択図】図３
0003199950.tif 000002
【実用新案登録請求の範囲】
【請求項１】
ズボン体と、該ズボン体に着脱自在に設けるカバー部と、該カバー部に着脱自在に取り付けるおむつ部とによってなり、
該ズボン体は、前身頃の上端縁部の中央の位置から左右の方向にそれぞれ傾斜して側面に至り、かつ下方に延伸するファスナーを設けて該前身頃が開くようにするとともに、該ズボン体の腰回り部にウエスト紐を装着し、該ズボン体の内面の上端縁に近接した位置を接続部とし、矩形を呈する上半部と下半部とによってなり、かつ該上半部を該接続部に固定し、該下半部を自在に折ることができるようにした第１接続部材を設け、該前身頃と該後見頃との下方には、外周面に沿って複数のホックを設け、脚部を着脱自在に設けてなり、
該カバー部は、上端に固定ベルトを設け、該第１接続部材に対応する位置に、オス係合部材とメス係合部材とを具える第２接続部材を設けるとともに、取付けベルトと挟持部材とによってなる取付け手段を設け、
該取付けベルトは該カバー部の上端縁部の左右両端にベルト通し孔をそれぞれ形成し、該カバー部の背面側から通して設け、該取付けベルトの両端にボタンホールをそれぞれ形成し、該固定ベルトの該ボタンホールに対応する位置にボタンを取り付け、該ボタンを掛けて該取付けベルトを該カバー部に取付け、
該挟持部材は、２枚の矩形を呈する板材が短手方向の一端で連結し、かつ連結した短手方向の該一端を中心にして２枚の該板材が開閉自在になるとともに、連結した該短手方向の一端が同時に該取付けベルトの短手方向の上端縁部に連結し、該挟持部材自体が連結した短手方向の一端を中心にして回動自在になるよう該取付けベルトに設け、
該おむつ部は、不織布の表層と、防水性の低層と、吸水性のコア層を積層してなり、かつ外周縁部の上端が延伸して幅広の平面状を呈し、該取付け手段の該挟持手段で挟持するに取付ける取付け片を形成してなること、を特徴とする介護用ズボン型肌着。
【請求項２】
前記挟持部材に面ファスナーか、もしくはホックを設けることを特徴とする請求項１に記載の介護用ズボン型肌着。
【請求項３】
前記おむつ部の外周縁部において、股間に接触する部位の左右にそれぞれゴム体を設けてギャザー部を形成するとともに、正面側の外面に粘着部を形成して、該カバー部の前部に粘着させることを特徴とする請求項１に記載の介護用ズボン型肌着。
【考案の詳細な説明】
【技術分野】
【０００１】
この考案は、使い捨てのおむつ部を具えた介護用のズボン型肌着に関し、特におむつ部の着脱、もしくはズボン型の肌着の着脱が容易な介護用ズボン型肌着に関する。
【背景技術】
【０００２】
従来の紙おむつは。液体の通過する表層と、防水性の底層との間に吸収体によるコア層を設けてなる。係る紙おむつは、直接介護対象者の肌に触れるため、排尿を重ねると介護対象者の腰回りが痒くなったり、蒸れて厚くなったりするなど、使用上の不快感が増す。
【０００３】
また、紙おむつを着用する介護対象者は、ほとんどが寝たきりの状態で、寝返りを打つことすら人手に頼ることが多い。このような場合、紙おむつを取り替える回数は一日平均７回になるが、紙おむつの取り換えは容易ではなく、介護者にとって大きな負担となる。さらには、紙おむつが肌に密着することなく滲み出たり、漏れたりすることもある。
【考案の概要】
【考案が解決しようとする課題】
【０００４】
この考案は、使い捨ての吸収体を具えた介護用のズボン型肌着であって、該吸収体の取り換えが容易な介護用ズボン型肌着を提供することを課題とする。
【０００５】
また、この考案は、蒸れ、痒みなどの不快感が発生することなく、かつ滲み出たり、漏れたりすることを防ぐことのできる介護用ズボン型肌着を提供することを課題とする。
【課題を解決するための手段】
【０００６】
そこで、本考案者は従来の介護用紙おむつに見られる欠点に鑑み鋭意研究を重ねた結果  ズボン体とカバー部とおむつ部とによってなり、該ズボン体は、前身頃にするファスナーを設けて該前身頃が開くようにするとともに、腰回り部にウエスト紐を装着し、該ズボン体の内面の上端縁に近接した位置を接続部とし、矩形を呈する上半部と下半部とによってなる第１接続部材を設け、該前身頃と該後見頃との下方には複数のホックを設け、脚部を着脱自在に設けてなり、該カバー部は、上端に固定ベルトを設け、該第１接続部材に対応する位置に、オス係合部材とメス係合部材とを具える第２接続部材を設けるとともに、取付けベルトと挟持部材とによってなる取付け手段を設け、該取付けベルトの両端にボタンホールを形成し、該固定ベルトにボタンを取り付けて該取付けベルトを該カバー部に取付け、該挟持部材は、開閉自在に連結した２枚の矩形を呈する板材によってなり、該おむつ部は、外周縁部の上端が延伸して幅広の平面状を呈し、該取付け手段の該挟持手段で挟持して取付ける取付け片を形成してなる介護用ズボン型肌着によって課題を解決でできる点に着眼し、係る知見に基づいて本考案を完成させた。
【０００７】
以下この考案について説明する。請求項１に記載する介護用ズボン型肌着は、ズボン体と、該ズボン体に着脱自在に設けるカバー部と、該カバー部に着脱自在に取り付けるおむつ部とによってなり、
該ズボン体は、前身頃の上端縁部の中央の位置から左右の方向にそれぞれ傾斜して側面に至り、かつ下方に延伸するファスナーを設けて該前身頃が開くようにするとともに、該ズボン体の腰回り部にウエスト紐を装着し、該ズボン体の内面の上端縁に近接した位置を接続部とし、矩形を呈する上半部と下半部とによってなり、かつ該上半部を該接続部に固定し、該下半部を自在に折ることができるようにした第１接続部材を設け、該前身頃と該後見頃との下方には、外周面に沿って複数のホックを設け、脚部を着脱自在に設けてなり、
該カバー部は、上端に固定ベルトを設け、該第１接続部材に対応する位置に、オス係合部材とメス係合部材とを具える第２接続部材を設けるとともに、取付けベルトと挟持部材とによってなる取付け手段を設け、
該取付けベルトは該カバー部の上端縁部の左右両端にベルト通し孔をそれぞれ形成し、該カバー部の背面側から通して設け、該取付けベルトの両端にボタンホールをそれぞれ形成し、該固定ベルトの該ボタンホールに対応する位置にボタンを取り付け、該ボタンを掛けて該取付けベルトを該カバー部に取付け、
該挟持部材は、２枚の矩形を呈する板材が短手方向の一端で連結し、かつ連結した短手方向の該一端を中心にして２枚の該板材が開閉自在になるとともに、連結した該短手方向の一端が同時に該取付けベルトの短手方向の上端縁部に連結し、該挟持部材自体が連結した短手方向の一端を中心にして回動自在になるよう該取付けベルトに設け、
該おむつ部は、不織布の表層と、防水性の低層と、吸水性のコア層を積層してなり、かつ外周縁部の上端が延伸して幅広の平面状を呈し、該取付け手段の該挟持手段で挟持するに取付ける取付け片を形成してなる。
【０００８】
請求項２に記載する介護用ズボン型肌着は、請求項１における挟持部材に面ファスナーか、もしくはホックを設ける。
【０００９】
請求項３に記載する介護用ズボン型肌着は、請求項１におけるおむつ部の外周縁部において、股間に接触する部位の左右にそれぞれゴム体を設けてギャザー部を形成するとともに、正面側の外面に粘着部を形成して、該カバー部の前部に粘着させる。
【図面の簡単な説明】
【００１０】
【図１】この考案による介護用ズボン型肌着の正面図である。
【図２】この考案におけるカバー部を装着した状態を示した説明図である。
【図３】この考案による介護用ズボン型肌着の構成を示した説明図である。
【図４】この考案におけるおむつ部の取付け手段を示した説明図である。
【図５】この考案におけるおむつ部の取付け手段を示した他の説明図である。
【図６】他の実施の形態による取付け手段を示した説明図である。
【図７】その他の実施の形態による取付け手段を示した説明図である。
【図８Ａ】この考案におけるおむつ部を取付け手段に取付ける操作の手順を示した第１の説明図である。
【図８Ｂ】この考案におけるおむつ部を取付け手段に取付ける操作の手順を示した第２の説明図である。
【図８Ｃ】この考案におけるおむつ部を取付け手段に取付ける操作の手順を示した第３の説明図である。
【図９】この考案におけるカバー部におむつ部を取り付けた状態を示した説明図である。
【図１０Ａ】他の実施の形態による取付け部を示した説明図である。
【図１０Ｂ】他の実施の形態による取付け部を示した他の説明図である。
【図１１】他の実施の形態による取付け部におむつ部を取り付ける操作を示した説明図である。
【図１２】他の実施の形態において、カバー部におむつ部を取り付けた状態を示した説明図である。
【図１３】この考案におけるおむつ部の取付け片を挟持した状態を示した断面説明図である。
【図１４】他の実施の形態におけるおむつ部の取付け片を挟持した状態を示した断面説明図である。
【図１５】他の実施の形態におけるおむつ部の取付け片を挟持した状態を示した他の断面説明図である。
【考案を実施するための形態】
【００１１】
この考案は、使い捨ての吸収体を具えた介護用のズボン型肌着において、該吸収体の取り換えが容易で、蒸れ、痒みなどの不快感が発生することなく、かつ滲み出たり、漏れたりすることを防ぐことのできる介護用ズボン型肌着を提供するものであって、ズボン体とカバー部とおむつ部とによってなり、該ズボン体は、前身頃にするファスナーを設けて該前身頃が開くようにするとともに、腰回り部にウエスト紐を装着し、該ズボン体の内面の上端縁に近接した位置を接続部とし、矩形を呈する上半部と下半部とによってなる第１接続部材を設け、該前身頃と該後見頃との下方には複数のホックを設け、脚部を着脱自在に設けてなり、該カバー部は、上端に固定ベルトを設け、該第１接続部材に対応する位置に、オス係合部材とメス係合部材とを具える第２接続部材を設けるとともに、取付けベルトと挟持部材とによってなる取付け手段を設け、該取付けベルトの両端にボタンホールを形成し、該固定ベルトにボタンを取り付けて該取付けベルトを該カバー部に取付け、該挟持部材は、開閉自在に連結した２枚の矩形を呈する板材によってなり、該おむつ部は、外周縁部の上端が延伸して幅広の平面状を呈し、該取付け手段の該挟持手段で挟持して取付ける取付け片を形成してなる。係る介護用ズボン型肌着の構造と特徴を説明するために、具体的な実施例を挙げ、図面を参照にして以下に説明する。
【実施例】
【００１２】
この考案による介護用ズボン型肌着は、ズボン体１と、カバー部４と、おむつ部８とを具えてなる。
【００１３】
図１に開示するように、ズボン体１は、前身頃１１の上端縁部の中央の位置から左右の方向にそれぞれ傾斜して側面１０に至り、かつ下方に延伸するファスナー２１を設ける。また、腰回り部１３に折り返して縫合してウエスト紐２２を通す空間を形成し、かつ開口部１３０を形成してウエスト紐２２を腰回り部１３に装着する。ウエスト紐２２は、開口部１３から両端を出す。さらに、前身頃１１と後見頃１２との下方には、外周面に沿って複数のホック２３を設け、脚部１５を着脱自在に設ける。
【００１４】
上述する構造のズボン体１は、ファスナー２１を開放することによって前身頃１１が開き、さらにウエスト紐２２をほどくことによって、前身頃１１と後見頃１２とが完全に開いた状態になる。また、脚部１５を着脱自在に設けることによって、必要に応じてズボン体１を半ズボンにするか、長ズボンにするか選択できる。
【００１５】
ファスナー２１を取り付ける場合は、折返し部２４を形成して縫い付けるなど、周知の技術によるため、詳述しない。
【００１６】
また、ズボン体１には、カバー部４を着脱自在に設ける。即ち、ズボン体１の後見頃１２の内面の上端縁に近接した位置を接続部１２１とし、接続部１２１には第１接続部材３を設ける。実施例において第１接続部材３は、矩形を呈する上半部３２と下半部３１とによってなり、上半部３２を接続部１２１に固定し、下半部３１を自在に折ることができるようにするともに、下半部３１にオスの面ファスナーを、上半部３２にメスの面ファスナーをそれぞれ設ける。
【００１７】
上述する第１接続部材３は、下半部３１を折って上半部２に重ね合わせ、該オスの面ファスナーと該メスの面ファスナーとを係合させると、平坦な面が使用者０１の皮膚に接触し、広げて該オスの面ファスナーと該メスの面ファスナーとを露出させると、カバー部４を取り付けることができる。
【００１８】
カバー部４は、吸湿性を有し、かつ汗を排出する高弾性の生地によってなる。カバー部４の背面には、ズボン体１の第１接続部材３に対応する位置に、オス係合部材３１０とメス係合部材３２０とを具える第２接続部材３０を設ける。実施例において、第２接続部材３０は面ファスナーであって、オス係合部材３１０は第１接続部材３の上半部３２に係合するオスの面ファスナーであり、メス係合部材３２０は第１接続部材３の下半部３１に係合するメスの面ファスナーである。カバー部４は第２接続部材３０によってズボン体１に着脱自在に取り付けることができる。
【００１９】
また、カバー部４は、後部４３と、中間部４５と、前部４４とを具え、かつ上端に固定ベルト４２を設ける。固定ベルト４２は、カバー部４の上端から左右に延伸し、両端には、それぞれ同一面にオス面ファスナー４２１とメス面ファスナー４２２とを設けて、折り返して重ね合わせ固定できるようにする。また、カバー部４の下端の両側には、それぞれループ部４２０を形成する。
【００２０】
カバー部４には、おむつ部８を取付け、下端を折返して左右のループ部４２０に固定ベルト４２の両端をそれぞれ通して緊締し、かつ固定ベルト４２の両端を折返して重ね合わせてオス面ファスナー４２１とメス面ファスナー４２２で固定することによって、図２に開示するようにおむつ部８とカバー部４とを装着することができる。
【００２１】
おむつ部８をカバー部４に着脱自在に取付けるために、カバー部４には、取付けベルト５１と挟持部材５２とによってなる取付け手段５を設ける。
【００２２】
取付けベルト５１には、安定性を持たせ、おむつ部８を取り付ける操作を容易にするために、例えばスカートのウエスト部の芯材のように柔軟性とある程度の硬さを有する芯材を内設してなり、図４、５に開示するように、カバー部４の上端縁部の左右両端にベルト通し孔４０をそれぞれ形成し、取付けベルト５１の両端をカバー部４の背面側からベルト通し孔４０にそれぞれ通す。取付けベルト５１の両端にはボタンホール５００をそれぞれ形成し、別途固定ベルト４２には、ボタンホール５００に対応する位置に、それぞれボタン５０を取り付ける。よって、ボタンホール５００を利用してボタン５０を掛けることによって、取付けベルト５１をカバー部４に取付けることができる。
【００２３】
挟持部材５２は、２枚の矩形を呈する板材が短手方向の一端で連結し、かつ連結した短手方向の該一端を中心にして２枚の該板材が開閉自在になるとともに、連結した該短手方向の一端が同時に取付けベルト５１の短手方向の上端縁部に連結し、挟持部材５２自体が連結した短手方向の一端を中心にして回動自在になるよう取付けベルト５１に設けられる。また、挟持部材５２は、取付けベルト５１の背面とカバー部４との間に挟み込んでおいて、使用する際に回転させて固定ベルト５１上に出す。
【００２４】
おむつ部８は、使い捨ての紙おむつにであって、不織布の表層と、防水性の低層と、吸水性のコア層を積層してなり、図６、７に開示するように、フィルム状の外周縁部８０の上端が延伸して幅広の平面状を呈する取付け片８０１を形成する。外周縁部８０に囲まれた部分を使用者の臀部に接触する後部８１と、股間に接触する中間部８２と、折り返して正面側を覆う前部８３とする。
【００２５】
外周縁部８０において、おむつ部８の後部８１から中間部８２に至る部位の左右に位置する部分には、それぞれゴム体８５を設けてギャザー部８５０をそれぞれ形成する。
【００２６】
おむつ部８をカバー部４に取付ける場合は、取付け片８０１を挟持部材部５２で挟持し、取付けベルト５１に巻き付けてカバー部４に取付ける。この場合、図８Ａに開示するように、挟持部材５２でおむつ部８の取付け片８０１を挟み、次いで図８Ｂに開示するように挟持部材５２を回転させ、図８Ｃに開示するように、挟持部材５２を回転させて取付けベルト５１の背面とカバー部４との間に差し込む。
【００２７】
また、図２に開示するように、おむつ部８は正面側の外面に粘着部８４を形成して、カバー部４の前部４４に粘着させる。
【００２８】
他の実施の形態として、図６に開示するように、挟持部材５２の２枚の矩形を呈する板材の互いに合わさる面にオス面ファスナー５２１ａとメス面ファスナー５２２ａとを設けてもよい。
【００２９】
また、その他の実施の形態として、図７に開示するように、挟持部材５２の２枚の矩形を呈する板材の互いに合わさる面にオスホック５２１ｂとメスホック５２２ｂとを設けてもよい。
【００３０】
また、別の実施の形態として、図１０Ａ、１０Ｂ、１１に開示するように、挟持部材５２の２枚の矩形を呈する板材の内の一枚を取付けベルト５１に接続し、２枚の矩形を呈する該板材該が合わさった状態で取付けベルト５１の背面とカバー部４との間に挟まった状態にしてもよい。この実施の形態においておむつ部８をカバー部４に取付ける場合は、図１１に開示するように取付けベルト５１が捩じれた状態を呈するが、ボタンホール５００によって捩じれるための距離が得られる。
【００３１】
図１１、１２には、オスホック５２１ｂとメスホック５２２ｂとを設け、おむつ部９ａの取付け片９０１ａを挟持する実施の形態を開示したが、当然のことながら、上述するようにオス面ファスナー５２１ａとメス面ファスナー５２２ａとを設けてもよい。
【００３２】
図１３、１４、１５に、おむつ部８の取付け片８０１、おむつ部９ａの取付け片９０１ａを挟持する操作の手順を開示する。図面に開示すように
オスホック５２１ｂとメスホック５２２ｂとによっておむつ部９ａの取付け片９０１ａを挟持しても、オス面ファスナー５２１ａとメス面ファスナー５２２ａとを設けておむつ部９ｂの取付け片９０１ｂを挟持しても、同様におむつ部９ａ、９ｂの着脱の操作が容易であって、介護者、もしくは被介護者の負担にならない。
【００３３】
また、外周縁部９０a、９０ｂを設けることによって、液体が滲み出たり、漏れたりすることを効率よく防ぐことができる。さらに、ズボン体１が腹部以下を覆うため、履き心地がよく、蒸れや痒みによる不快感がない。
【００３４】
取付け片８０１、または取付け片９０１ａを完全に挟持するための好ましいサイズの範囲は、取付けベルト５１、挟持部材５２の短手方向の幅を２.５ｃｍ前後であって、取付け片８０１は上下方向を短手方向とし、好ましくは、短手方向の幅を８.５ｃｍから９ｃｍとし、取付け片９０１ａの短手方向の幅を５．５ｃｍから６ｃｍとする。外周縁部８０、９０ａ、９０ｂの幅は、好ましくは２．５ｃｍから３ｃｍとする。
【符号の説明】
【００３５】
０１         使用者
１           ズボン体
１０         側面
１１         前身頃
１２         後見頃
１２１       接続部
１３         腰回り部
１５         脚部
２１         ファスナー
２２         ウエスト紐
２３         ホック
２４         折返し部
３           第１接続部材
３０         第２接続部材
３１         下半部
３１０       オス係合部材
３２         上半部
３２０       メス係合部材
４           カバー部
４０         ベルト通し孔
４２         固定ベルト
４２０       ループ部
４２１       オス面ファスナー
４２２       メス面ファスナー
４３         後部
４４         前部
４５         中間部
５           取付け手段
５０         ボタン
５０００     ボタンホール
５１         取付けベルト
５２         挟持部材
５２１ａ     オス面ファスナー
５２１ｂ     オスホック
５２２ａ     メス面ファスナー
５２２ｂ     メスホック
８           おむつ部
８０         外周縁部
８０１       取付け片
８１         後部
８２         中間部
８３         前部
８４         粘着部
８５         ゴム体
８５０       ギャザー部
９ａ         おむつ部
９ｂ         おむつ部
９０ａ       外周縁部
９０ｂ       外周縁部
９０１ａ     取付け片
９０１ｂ     取付け片
【図１】
0003199950.tif 000003
【図２】
0003199950.tif 000004
【図３】
0003199950.tif 000005
【図４】
0003199950.tif 000006
【図５】
0003199950.tif 000007
【図６】
0003199950.tif 000008
【図７】
0003199950.tif 000009
【図８Ａ】
0003199950.tif 000010
【図８Ｂ】
0003199950.tif 000011
【図８Ｃ】
0003199950.tif 000012
【図９】
0003199950.tif 000013
【図１０Ａ】
0003199950.tif 000014
【図１０Ｂ】
0003199950.tif 000015
【図１１】
0003199950.tif 000016
【図１２】
0003199950.tif 000017
【図１３】
0003199950.tif 000018
【図１４】
0003199950.tif 000019
【図１５】
0003199950.tif 000020